(57)【要約】【課題】  選択されたチャンネルの画像を表示中に、マルチ画面表示指示を受けた場合に、従来に比べて短時間でマルチ画面上に複数のチャンネルの画像を表示できる画像表示制御装置を提供する。【解決手段】  主画面用のチュ−ナ１２とは別にチュ−ナ１４を設け、チュ−ナ１４において、マルチ画面表示のための信号抽出を行い、複数のチュ−ナの静止画像データを画像メモリ３４に書き込む。【選択図】  図１
2005311452.tif 000002
【特許請求の範囲】
【請求項１】
複数のチャンネルの信号を含む受信信号から、指定された前記チャンネルの信号を抽出する第１のチューナと、
前記第１のチューナによる前記信号の抽出と並行して、前記複数のチャンネルを順に選択し、当該選択したチャンネルの信号を前記受信信号から抽出する第２のチューナと、
前記第２チューナが前記抽出した信号から取得した画像データをメモリに書き込む書き込み手段と、
前記第１のチューナが抽出した前記信号に応じた画像を表示中にマルチ画面表示指示を受けると、前記書き込み手段が前記メモリに書き込んだ前記複数のチャンネルの前記画像データを前記メモリから読み出し、当該読み出した複数のチャンネルの画像データに応じた画像を１画面内に含むマルチ画面を表示させる制御手段と
を有する画像表示制御装置。
【請求項２】
前記第２のチューナによって前記抽出された信号がコマ−シャルであるか否かを検出するコマ−シャル検出手段
をさらに有し、
前記書き込み手段は、前記コマ−シャル検出手段の検出結果に基づいて、前記第２のチューナが前記抽出した信号の画像データのうち、番組の画像データを前記メモリに書き込み、コマーシャルの画像データを前記メモリに書き込まない
請求項１に記載の画像表示制御装置。
【請求項３】
前記書き込み手段は、前記第２のチュ−ナが選択した前記チャンネルの画像データが前記メモリに記憶されていない場合に、前記コマ−シャル検出手段の前記検出結果とは無関係に、前記第２チューナが前記抽出した信号から取得した画像データをメモリに書き込む
請求項２に記載の画像表示制御装置。
【請求項４】
前記第２のチュ−ナは、前記第１のチュ−ナに前記指定されていないチャンネルと、前記メモリに画像データが記憶されていないチャンネルに対して、それ以外のチャンネルに比べて高い優先順位を付した所定の順序に従って、前記複数のチャンネルを順に選択する
請求項１に記載の画像表示制御装置。
【請求項５】
複数のチャンネルの信号を含む受信信号から、指定された前記チャンネルの信号を第１のチューナが抽出する第１の工程と、
前記第１の工程と並行して行われ、前記複数のチャンネルを順に選択し、当該選択したチャンネルの信号を前記受信信号から第２のチュ−ナが抽出する第２の工程と、
前記第２の工程で前記第２チューナが前記抽出した信号から取得した画像をメモリに書き込む第３の工程と、
前記第１の工程で前記第１のチューナが抽出した前記信号に応じた画像を表示中にマルチ画面表示指示を受けると、前記第３の工程で前記メモリに書き込んだ前記複数のチャンネルの前記画像データを前記メモリから読み出し、当該複数のチャンネルの前記画像データを１画面内に含むマルチ画面を表示させる第４の工程と
を有する画像表示制御方法。
【請求項６】
ディスプレイと、
複数のチャンネルの信号を含む受信信号から、指定された前記チャンネルの信号を抽出する第１のチューナと、
前記第１のチューナによる前記信号の抽出と並行して、前記複数のチャンネルを順に選択し、当該選択したチャンネルの信号を前記受信信号から抽出する第２のチューナと、
前記第２チューナが前記抽出した信号から取得した画像データをメモリに書き込む書き込み手段と、
前記第１のチューナが抽出した前記信号に応じた画像を表示中にマルチ画面表示指示を受けると、前記書き込み手段が前記メモリに書き込んだ前記複数のチャンネルの前記画像データを前記メモリから読み出し、当該読み出した複数のチャンネルの画像データに応じた画像を１画面内に含むマルチ画面を表示させる制御手段と
を有する表示装置。
【請求項７】
複数のチャンネルの信号を含む受信信号から第１のチュ−ナおよび第２のチュ−ナが抽出した信号を用いて画像を表示する制御回路が実行するプログラムであって、
前記第１のチュ−ナが抽出した指定されたチャンネルの信号に応じた画像を表示中にマルチ画面表示指示を受けたか否かを判断する第１の手順と、
前記第１の手順で前記マルチ画面表示指示を受けたと判断すると、前記第１のチュ−ナによる前記信号の抽出と並行して前記第２のチュ−ナが前記受信信号から前記複数のチャンネルの信号を抽出し当該抽出した信号から取得した画像データを所定のメモリから読み出して、前記複数のチャンネルの画像を１画面内に含むマルチ画面を表示させる第２の手順と
を前記制御回路に実行させるプログラム。
【発明の詳細な説明】
【技術分野】
【０００１】
本発明は、複数のチャンネルの信号を含む受信信号を基に、上記複数のチャンネルの画像を１画面で表示するマルチ画面を提供する画像表示制御装置、その方法、表示装置およびプログラムに関する。
【背景技術】
【０００２】
例えば、テレビジョンなどの複数のチャンネルの中から視聴する番組のチャンネルを視聴者に選択させるために、１画面内にマトリクス状に配置された複数の小画面に、上記複数のチャンネルから取得した静止画像をそれぞれ表示するマルチ画面をディスプレイに出力する画像表示制御装置がある。
このような画像表示制御装置では、例えば、特許文献１に開示されているように、視聴者が選択したチャンネルのビデオ信号およびオーディオ信号をチュ−ナで抽出し、当該抽出したビデオ信号およびオーディオ信号に応じた映像および音声を出力している状態で、視聴者がマルチ画面表示指示を出す。
画像表示制御装置は、上記マルチ画面表示指示を受けると、上記マルチ画面をディスプレイに出力し、上記チュ−ナに上記複数のチャンネルのビデオ信号を順に抽出させ、当該抽出によって得た静止画像を上記マルチ画面内の上記複数の小画面に順に表示させる。
上述したように、上記特許文献１の画像表示制御装置では、視聴者が選択したチャンネルのビデオ信号およびオーディオ信号の抽出と、マルチ画面表示のための複数のチャンネルのビデオ信号の抽出とを同じチュ−ナに行わせている。
【特許文献１】特開平１１−２２５２９６号公報
【発明の開示】
【発明が解決しようとする課題】
【０００３】
しかしながら、上述した従来の画像表示制御装置では、マルチ画面表示指示を受けてから、上記チュ−ナがマルチ画面表示のために複数のチュ−ナのビデオ信号の抽出を開始する。
そのため、視聴者が、マルチ画面表示指示を出してから、マルチ画面上に上記複数のチャンネルの静止画像が表示されるまでに長時間を要してしまうという問題がある。
【０００４】
本発明は、上述した従来技術に鑑みてなされ、選択されたチャンネルの画像を表示中に、マルチ画面表示指示を受けた場合に、従来に比べて短時間でマルチ画面上に複数のチャンネルの画像を表示できる画像表示制御装置、その方法、表示装置およびプログラムを提供することを目的とする。
【課題を解決するための手段】
【０００５】
上述した従来技術の問題を解決し、上述した目的を達成するために、第１の発明は、複数のチャンネルの信号を含む受信信号から、指定された前記チャンネルの信号を抽出する第１のチューナと、前記第１のチューナによる前記信号の抽出と並行して、前記複数のチャンネルを順に選択し、当該選択したチャンネルの信号を前記受信信号から抽出する第２のチューナと、前記第２チューナが前記抽出した信号から取得した画像データをメモリに書き込む書き込み手段と、前記第１のチューナが抽出した前記信号に応じた画像を表示中にマルチ画面表示指示を受けると、前記書き込み手段が前記メモリに書き込んだ前記複数のチャンネルの前記画像データを前記メモリから読み出し、当該読み出した複数のチャンネルの画像データに応じた画像を１画面内に含むマルチ画面を表示させる制御手段とを有する。
【０００６】
第１の発明の画像表示制御装置の作用は以下のようになる。
第１のチュ−ナが、複数のチャンネルの信号を含む受信信号から、指定された前記チャンネルの信号を抽出する。
第２のチュ−ナが、前記第１のチューナによる前記信号の抽出と並行して、前記複数のチャンネルを順に選択し、当該選択したチャンネルの信号を前記受信信号から抽出する。
次に、書き込み手段が、前記第２チューナが前記抽出した信号から取得した画像データをメモリに書き込む。
そして、制御手段が、前記第１のチューナが抽出した前記信号に応じた画像を表示中にマルチ画面表示指示を受けると、前記メモリから読み出した前記複数のチャンネルの前記画像データを１画面内に含むマルチ画面を表示させる。
【０００７】
第２の発明の画像表示制御方法は、複数のチャンネルの信号を含む受信信号から、指定された前記チャンネルの信号を第１のチューナが抽出する第１の工程と、前記第１の工程と並行して行われ、前記複数のチャンネルを順に選択し、当該選択したチャンネルの信号を前記受信信号から第２のチュ−ナが抽出する第２の工程と、前記第２の工程で前記第２チューナが前記抽出した信号から取得した画像データをメモリに書き込む第３の工程と、前記第１の工程で前記第１のチューナが抽出した前記信号に応じた画像を表示中にマルチ画面表示指示を受けると、前記第３の工程で前記メモリに書き込んだ前記複数のチャンネルの前記画像データを前記メモリから読み出し、当該複数のチャンネルの前記画像データに応じた画像を１画面内に含むマルチ画面を表示させる第４の工程とを有する。
【０００８】
第２の発明の画像表示制御方法の作用は以下のようになる。
第１の工程において、複数のチャンネルの信号を含む受信信号から、指定された前記チャンネルの信号を第１のチューナが抽出する。
第２の工程おいて、前記第１の工程と並行し、前記複数のチャンネルを順に選択し、当該選択したチャンネルの信号を前記受信信号から第２のチュ−ナが抽出する。
そして、第３の工程おいて、前記第２の工程で前記第２チューナが前記抽出した信号から取得した画像データをメモリに書き込む。
そして、第４の工程において、前記第１の工程で前記第１のチューナが抽出した前記信号に応じた画像を表示中にマルチ画面表示指示を受けると、前記第３の工程で前記メモリに書き込んだ前記複数のチャンネルの前記画像データを前記メモリから読み出し、当該複数のチューナの前記画像データに応じた画像を１画面内に含むマルチ画面を表示させる。
【０００９】
第３の発明の表示装置は、ディスプレイと、複数のチャンネルの信号を含む受信信号から、指定された前記チャンネルの信号を抽出する第１のチューナと、前記第１のチューナによる前記信号の抽出と並行して、前記複数のチャンネルを順に選択し、当該選択したチャンネルの信号を前記受信信号から抽出する第２のチューナと、前記第２チューナが前記抽出した信号から取得した画像データをメモリに書き込む書き込み手段と、前記第１のチューナが抽出した前記信号に応じた画像を表示中にマルチ画面表示指示を受けると、前記書き込み手段が前記メモリに書き込んだ前記複数のチャンネルの前記画像データを前記メモリから読み出し、当該読み出した複数のチャンネルの画像データに応じた画像を１画面内に含むマルチ画面を表示させる制御手段とを有する。
【００１０】
第４の発明のプログラムは、複数のチャンネルの信号を含む受信信号から第１のチュ−ナおよび第２のチュ−ナが抽出した信号を用いて画像を表示する制御回路が実行するプログラムであって、前記第１のチュ−ナが抽出した指定されたチャンネルの信号に応じた画像を表示中にマルチ画面表示指示を受けたか否かを判断する第１の手順と、前記第１の手順で前記マルチ画面表示指示を受けたと判断すると、前記第１のチュ−ナによる前記信号の抽出と並行して前記第２のチュ−ナが前記受信信号から前記複数のチャンネルの信号を抽出し当該抽出した信号から取得した画像データを所定のメモリから読み出して、前記複数のチャンネルの画像データに応じた画像を１画面内に含むマルチ画面を表示させる第２の手順とを前記制御回路に実行させる。
【発明の効果】
【００１１】
本発明によれば、選択されたチャンネルの画像を表示中に、マルチ画面表示指示を受けた場合に、従来に比べて短時間でマルチ画面上に複数のチャンネルの画像を表示できる画像表示制御装置、その方法、表示装置およびプログラムを提供することができる。
【発明を実施するための最良の形態】
【００１２】
以下、本発明の実施形態に係わる画像表示装置を説明する。
図１は、本発明の実施形態の画像表示装置１の構成図である。
図１に示すように、画像表示装置１は、例えば、アンテナ１０、チュ−ナ１２、チュ−ナ１４、オーディオ処理回路２０、ビデオ処理回路２２、オーディオ処理回路２４、ビデオ処理回路２６、ＣＭ検出回路２８、選局制御回路３０、書き込み制御回路３２、画像メモリ３４、マルチプレクサ３６、スピーカ３８、ディスプレイ４０、操作部４１、メモリ４２および制御回路４４を有する。
ここで、チュ−ナ１２が本発明の第１のチュ−ナに対応し、チュ−ナ１４が本発明の第２のチュ−ナに対応し、書き込み制御回路３２が本発明の書き込み手段に対応し、制御回路４４が本発明の制御手段に対応している。
また、ＣＭ検出回路２８が、本発明のコマ−シャル検出手段に対応している。
また、画像メモリ３４が、本発明のメモリに対応している。
【００１３】
以下、図１に示す画像表示装置１の各構成要素について説明する。
アンテナ１０は、テレビ電波信号Ｓ１０を受信し、これをチュ−ナ１２およびチュ−ナ１４に出力する。
本実施形態では、テレビ電波信号Ｓ１０には、複数のチャンネルのビデオ信号およびオーディオ信号が多重化されている。
チュ−ナ１２は、アンテナ１０から入力したテレビ電波信号Ｓ１０から、選局信号Ｓ３０ａが示すチャンネル（主画面のチャンネル）のオーディオ信号およびビデオ信号を抽出し、抽出したオーディオ信号Ａ１をオーディオ処理回路２０に出力し、抽出したビデオ信号Ｖ１をビデオ処理回路２２に出力する。
【００１４】
チュ−ナ１４は、アンテナ１０から入力したテレビ電波信号Ｓ１０から、選局信号Ｓ３０ｂが示すチャンネルのオーディオ信号およびビデオ信号を抽出し、抽出したオーディオ信号Ａ２をオーディオ処理回路２４に出力し、抽出したビデオ信号Ｖ２をビデオ処理回路２６に出力する。
チュ−ナ１４は、チュ−ナ１２の上記抽出動作と並行して上記抽出動作を行い、選局信号Ｓ３０ｂを基に、テレビ電波信号Ｓ１０に含まれる複数のチャンネルのオーディオ信号およびビデオ信号をマルチ画面表示用に順に自動的に抽出する。
【００１５】
オーディオ処理回路２０は、チュ−ナ１２から入力したオーディオ信号Ａ１を処理してオーディオ信号Ｓ２０を生成し、これをスピーカ３８に出力する。
オーディオ処理回路２０の処理は、例えば、オーディオ信号Ａ１がデジタル信号の場合の復号処理などである。
ビデオ処理回路２２は、チュ−ナ１２から入力したビデオ信号Ｖ１を処理してビデオ信号Ｓ２２を生成し、これを画像メモリ３４およびマルチプレクサ３６に出力する。
ビデオ処理回路２２の処理は、例えば、ビデオ信号Ｖ１がデジタル信号の場合の復号処理などである。
【００１６】
オーディオ処理回路２４は、チュ−ナ１４から入力したオーディオ信号Ａ２を処理してオーディオ信号Ｓ２４を生成し、これをＣＭ検出回路２８に出力する。
オーディオ処理回路２４の処理は、例えば、オーディオ信号Ａ２がデジタル信号の場合の復号処理などである。
ビデオ処理回路２６は、チュ−ナ１５から入力したビデオ信号Ｖ２を処理してビデオ信号Ｓ２６を生成し、これを画像メモリ３４に出力する。
ビデオ処理回路２６の処理は、例えば、ビデオ信号Ｖ２がデジタル信号の場合に復号処理などである。
【００１７】
ＣＭ検出回路２８は、オーディオ処理回路２４から入力したオーディオ信号Ｓ２４がコマ−シャル（ＣＭ）であるか否かを検出し、その検出結果を示すＣＭ検出信号Ｓ２８を書き込み制御回路３２に出力する。
このとき、ＣＭ検出回路２８は、各チャンネルのオーディオ信号内には、コマ−シャルと番組との間、並びにコマ−シャルとコマ−シャルとの間に無音状態が存在することを利用して、所定の時間（例えば、１分間）に無音状態を検出し、その検出パターンに基づいて、オーディオ信号Ｓ２４がコマ−シャルであるか否かを判断する。
なお、ＣＭ検出回路２８は、通常、１つのコマ−シャルが、１５秒、３０秒および１分であるため、そのことをさらに用いて、コマ−シャルであるか否かを判断してもよい。
また、ＣＭ検出回路２８は、必要であれば、オーディオ信号Ｓ２４が、音声多重方式、ステレオ方式およびモノラル方式の何れであるかを判別し、それらの方式の特性を考慮して無音状態の検出を行う。
【００１８】
選局制御回路３０は、操作部４１を用いた視聴者の選局操作で指定されたチャンネルを示す選局操作信号Ｓ４４ａを制御回路４４から入力し、当該指定されたチャンネルを示す選局信号Ｓ３０ａをチュ−ナ１２に出力する。
選局制御回路３０は、テレビ電波信号に多重化された複数のチャンネルを順に所定の時間間隔で選局対象として選択し、当該選択したチャンネルを示す選局信号Ｓ３０ｂを生成し、これをチュ−ナ１４に出力する。
選局制御回路３０は、後述するように、制御回路４４からの選局操作信号Ｓ４４ａに従って、主画面以外のチャンネル、並びに画像メモリ３４に静止画像データが記憶されていないチャンネルを、主画面のチャンネル、並びにメモリ３３に既に静止画像データが記憶されているチャンネルより優先させて選択する。
【００１９】
書き込み制御回路３２は、ＣＭ検出回路２８からのＣＭ検出信号Ｓ２８に基づいて、ビデオ処理回路２６が出力したビデオ信号Ｓ２６内の静止画像データを画像メモリ３４に書き込むことを制御する。
書き込み制御回路３２は、ＣＭ検出信号Ｓ２８に基づいて、オーディオ信号Ａ２が番組のオーディオ信号である間はビデオ信号Ｓ２６内の静止画像データを画像メモリ３４に書き込み、オーディオ信号Ａ２がコマ−シャルのオーディオ信号である間はビデオ信号Ｓ２６内の静止画像データを画像メモリ３４に書き込まない。
【００２０】
画像メモリ３４は、マルチ画面内の複数の小画面の各々に表示する静止画像の静止画像データを、上記小画面に予め対応付けられて規定されたアドレスに記憶する。
本実施形態では、例えば、図２に示すように、マルチ画面ＭＵＬは、マトリクス状に位置する複数の小画面Ｍ１〜Ｍ２０を有する。
小画面Ｍ１には、チュ−ナ１２で抽出されたチャンネル（視聴者によって指定された主画面のチャンネル）の画像がリアルタイムに表示される。
小画面Ｍ２〜Ｍ２０の各々には、テレビ電波信号に多重化された複数のチャンネルの番組の静止画像が表示される。
画像メモリ３４には、図２に示す小画面Ｍ１に対応したアドレスに、ビデオ処理回路２２から入力したビデオ信号Ｓ２２から取得された静止画像データがリアルタイムに上書されて書き込まれる。
画像メモリ３４には、例えば、図２に示す小画面Ｍ２〜Ｍ２０の各々に対応したアドレスに、書き込み制御回路３２によって、当該小画面に表示する静止画像の静止画像データが書き込まれる。
【００２１】
マルチプレクサ３６は、制御回路４４からの制御信号Ｓ４４ｂに従って、ビデオ処理回路２２からのビデオ信号Ｓ２２と、画像メモリ３４から読み出したマルチ画面のマルチ画面画像データに応じたビデオ信号Ｓ３４とのうち一方を選択してディスプレイ４０に出力する。
スピーカ３８は、オーディオ処理回路２０から入力したオーディオ信号Ｓ２０に応じた音声出力を行う。
ディスプレイ４０は、マルチプレクサ３６から入力したビデオ信号に応じた画像を出力する。
【００２２】
操作部４１は、ボタンなどの操作手段であり、例えば、視聴者の操作に応じた操作信号Ｓ４１を制御回路４４に出力する。
本実施形態では、操作部４１は、視聴者の操作によって、マルチ画面表示指示を受けると、当該マルチ画面表示指示を示す操作信号Ｓ４１を制御回路４４に出力する。
メモリ４２は、制御回路４４の処理を規定するプログラムＰＲＧを記憶する。
ここで、プログラムＰＲＧが、第４の発明のプログラムに対応している。
【００２３】
制御回路４４は、メモリ４２から読み出したプログラムＰＲＧを実行し、画像表示装置１の動作を統括的に制御する。
以下、示す画像表示装置１の動作は、制御回路４４によって制御される。
【００２４】
以下、図１に示す画像表示装置１の動作例を説明する。
〔第１の動作例〕
以下、図１に示す画像表示装置１において、画像メモリ３４に対する画像書き込みに関連する動作例を説明する。
図３は、当該動作例を説明するためのフローチャートである。
本実施形態において、第２の発明の第１の工程は、図３に示す動作と並行して行われるチュ−ナ１２の動作に対応している。
また、第２の発明の第２の工程は、図３に示すステップＳＴ２、ステップＳＴ３で行われるチュ−ナ１４の動作に対応している。
また、第２の発明の第３の工程は、図３に示すステップＳＴ７に対応している。
【００２５】
ステップＳＴ１：
選局制御回路３０は、予め決められた順序に従って、次のチャンネルを特定する。
ステップＳＴ２：
制御回路４４は、ステップＳＴ１で特定したチャンネルの静止画像データが画像メモリ３４に記憶されているか否かを判断し、記憶されていると判断するとステップＳＴ３に進み、記憶されていないと判断するとステップＳＴ７に進む。
制御回路４４は、ステップＳＴ７に進む場合、ステップＳＴ１で特定したチャンネルを示す選局操作信号Ｓ４４ａを選局制御回路３０に出力する。
選局制御回路３０は、選局操作信号Ｓ４４ａに基づいて、ステップＳＴ１で特定したチャンネルを選択し、それを示す選局信号Ｓ３０ｂをチュ−ナ１４に出力する。
チュ−ナ１４は、選局信号Ｓ３０ｂに基づいて、当該選択したチャンネルのオーディオ信号Ａ２をオーディオ処理回路２４に出力し、ビデオ信号Ｖ２をビデオ処理回路２６に出力する。
【００２６】
ステップＳＴ３：
制御回路４４は、ステップＳＴ１で特定したチャンネルが、選局信号Ｓ３０ａが示すチャンネル、すなわち主画面と同じチャンネルであるか否かを判断し、同じであると判断するとステップＳＴ１に戻り、異なると判断するとステップＳＴ４に進む。
制御回路４４は、主画面と異なるチャンネルであると判断すると、ステップＳＴ１で特定したチャンネルを示す選局操作信号Ｓ４４ａを選局制御回路３０に出力する。
選局制御回路３０は、選局操作信号Ｓ４４ａに基づいて、ステップＳＴ１で特定したチャンネルを示す選局信号Ｓ３０ｂをチュ−ナ１４に出力する。
チュ−ナ１４は、選局信号Ｓ３０ｂに基づいて、当該チャンネルのオーディオ信号Ａ２をオーディオ処理回路２４に出力し、ビデオ信号Ｖ２をビデオ処理回路２６に出力する。
【００２７】
ステップＳＴ４：
ＣＭ検出回路２８は、オーディオ信号Ｓ２４の無音状態を検出し、その結果を基に、オーディオ信号Ｓ２４がコマ−シャルであるか可能性があるか否かを判断し、コマ−シャルである可能性がある場合にはステップＳＴ５に進み、そうでない場合にはステップＳＴ７に進む。
【００２８】
ステップＳＴ５：
ＣＭ検出回路２８は、一定期間経過したか否かを判断し、経過したと判断するとステップＳＴ６に進み、そうでない場合にはステップＳＴ４に戻る。
ステップＳＴ６：
ＣＭ検出回路２８は、無音状態の検出パターンに従って、確実にコマ−シャルであると判断するとステップＳＴ１に戻り、そうでない場合にはステップＳＴ７に進む。
【００２９】
ステップＳＴ７：
ＣＭ検出回路２８は、コマ−シャルでないことを示すＣＭ検出信号Ｓ２８を書き込み制御回路３２に出力する。
書き込み制御回路３２は、ＣＭ検出信号Ｓ２８に基づいて、ビデオ信号Ｓ２６を、画像メモリ３４内のステップＳＴ１で特定したチャンネルに対応したアドレスに書き込む。
〔第２実施形態〕
以下、マルチ画面表示指示が出された場合の動作例を説明する。
図４は、当該動作例を説明するためのフローチャートである。
ここで、図４に示すステップＳＴ１２が第２の発明の第４の工程に対応している。
また、図４に示すステップＳＴ１１が第４の発明の第１の手順に対応し、ステップＳＴ１２が第４の発明の第２の手順に対応している。
【００３０】
ステップＳＴ１１：
制御回路４４は、操作部４１からの操作信号に基づいて、視聴者がマルチ画面表示指示を出したか否かを判断し、マルチ画面表示指示を出したと判断するとステップＳＴ１２に進み、そうでない場合はステップＳＴ１１の処理を繰り返す。
【００３１】
ステップＳＴ１２：
制御回路４４は、制御回路４４からマルチ画面のマルチ画面画像データを読み出し、これに応じたビデオ信号Ｓ３４をマルチプレクサ３６に出力する。
マルチプレクサ３６は、制御回路４４からの制御信号Ｓ４４ｂに基づいて、ビデオ信号Ｓ３４を選択してディスプレイ４０に出力し、ディスプレイ４０にマルチ画面を表示する。
【００３２】
以上説明したように、画像表示装置１では、チュ−ナ１２において主画面表示のための信号抽出を行い、チュ−ナ１４においてチュ−ナ１２と並行してマルチ画面表示のための信号抽出を行う。そして、チュ−ナ１４で抽出した複数のチャンネルの信号から取得した画像データを画像メモリ３４に書き込む。
そのため、画像表示装置１によれば、主画面を表示中に、マルチ画面表示指示が出されると、制御回路４４は、短時間で、画像メモリ３４からマルチ画面画像データを読み出してマルチ画面をディスプレイ４０に表示させることができる。
すなわち、画像表示装置１では、従来のように、マルチ画面表示指示が出されてから、マルチ画面表示のための信号抽出を行う必要がない。
【００３３】
また、画像表示装置１によれば、書き込み制御回路３２が、ＣＭ検出回路２８からのＣＭ検出信号Ｓ２８に基づいて、コマ−シャル以外の番組の画像データのみを画像メモリ３４に書き込むため、マルチ画面内の小画面に番組の画像を表示させることができる。そのため、視聴者のチャンネル選択に有用な画像のみをマルチ画面に表示できる。
【００３４】
また、画像表示装置１によれば、ステップＳＴ１〜ＳＴ３で説明したように、主画面以外のチャンネル、並びに画像メモリ３４に静止画像データが記憶されていないチャンネルを、主画面のチャンネル、並びにメモリ３３に既に静止画像データが記憶されているチャンネルより優先させて選択するため、マルチ画面内の全ての小画面に番組の静止画像を短時間に表示できる。
【００３５】
また、画像表示装置１によれば、複数のチャンネルのうちその静止画像データを画像メモリ３４に記憶していないチャンネルについて、ＣＭ検出を行わずに、その静止画像データを画像メモリ３４に書き込む。そのため、早いタイミングで、そのチャンネルについての静止画像データを画像メモリ３４に書き込むことができ、マルチ画面内の小画面に静止画像が何も表示されないことを回避できる。
【００３６】
本発明は上述した実施形態には限定されない。
例えば、上述した実施形態では、ＣＭ検出回路２８が、オーディオ信号Ｓ２４の無音状態を基にコマ−シャルを検出する場合を例示したが、デジタル放送などで、各画像データにコマ−シャルであるか否かの属性情報が含まれる場合には、ＣＭ検出回路２８において、当該属性情報を基にコマ−シャルであるか否かを判断してもよい。
【００３７】
また、上述した実施形態では、２つのチュ−ナ１２，１４を用いた場合を例示したが、チュ−ナの数は２以上であれば特に限定されない。
【００３８】
また、上述した実施形態では、主画面に単数のチャンネルの画像を表示させたが、主画面用に複数のチュ−ナを用いることがで、主画面に複数のチャンネルの画像を表示させてもよい。
また、図３に示す処理は、常時行っていてもよいし、所定の時間間隔、例えば、コマ−シャルの最小時間単位で行ってもよい。
【産業上の利用可能性】
【００３９】
本発明は、マルチ画面を表示する表示装置に適用可能である。
【図面の簡単な説明】
【００４０】
【図１】図１は、本発明の実施形態の画像表示装置の構成図である。
【図２】図２は、マルチ画面を説明するための図である。
【図３】図３は、図１に示す画像表示装置において、画像メモリに対する画像書き込みに関連する動作例を説明するためのフローチャートである。
【図４】図４は、マルチ画面表示指示が出された場合の動作例を説明するためのフローチャートである。
【符号の説明】
【００４１】
１０…アンテナ、１２…チュ−ナ、１４…チュ−ナ、２０…オーディオ処理回路、２２…ビデオ処理回路、２４…オーディオ処理回路、２６…ビデオ処理回路、２８…ＣＭ検出回路、３０…選局制御回路、３２…書き込み制御回路、３４…画像メモリ、３６…マルチプレクサ、３８…スピーカ、４０…ディスプレイ、４１…操作部、４２…メモリ、４４…制御回路
【図１】
2005311452.tif 000003
【図２】
2005311452.tif 000004
【図３】
2005311452.tif 000005
【図４】
2005311452.tif 000006